(57)【要約】      （修正有）【課題】最小数の部品で、液体を一定の流れで注ぐことができるマルチフロー用量キャップを提供する。より具体的には、粘性のある液体を注ぐための、より詳細には、オイルを注ぐための用量キャップを提供する。【解決手段】キャップを容器に合わせるための手段を有する下部と、注入路と、異なる半径を有する二つのＵ型溝状路５ａ、５ｂによって形成される注入手段を備える上部と、を具備し、下部と上部とは、異なる領域における二つの孔４ａ、４ｂを端部とするスリット４を含むパーティション３によって分割されており、二つのＵ型溝状路は、該二つの孔と位置合わせされている。【選択図】図１
0003211236.tif 000002
【実用新案登録請求の範囲】
【請求項１】
容器に接続可能な下部と、
注入路と、を備え、
前記下部と上部とは、異なる領域における二つの孔を端部とするスリットを含む第一のパーティションによって分割されている、
ことを特徴とする、マルチフロー用量キャップ。
【請求項２】
前記上部は該上部において直径の両端の点に位置する二つの溝状路を有する、請求項１に記載のマルチフロー用量キャップ。
【請求項３】
前記二つの溝状路は異なる半径を有するＵ型溝状路である、請求項２に記載のマルチフロー用量キャップ。
【考案の詳細な説明】
【技術分野】
【０００１】
本考案は、異なる半径を有する二つのＵ型溝状路と、当該注入路に位置合わせされた二つの孔を端部とするスリットを有するパーティション含むマルチフロー用量キャップに関する。
本考案は、液体を注ぐための、より具体的には、粘性のある液体を注ぐための、より詳細には、オイルを注ぐための用量キャップを開発する。
【背景技術】
【０００２】
サラダなどにかけるためのオイルが入ったオイルボトルあるいは他の容器を使用することは、現在の技術水準において広く知られた一般的な作業である。これらの目的で使用される容器は、何らかのアウトレット流路を組み込んでいる。当該アウトレット流路は通常、サラダにドレッシングをかける作業の間、注がれるオイルの量をユーザができるだけコントロールすることができる小径の孔で構成されている。オイルボトルは、いくつかの実際的なデメリットを有している。例えば、アウトレット流路は小径を有するため、流量が非常に制限されるという事実がある。オイルボトルや調味料入れは、比較的少量のオイルを必要とするような、個々のサラダやそれと同様のものにドレッシングをかけるために用いられる際に、実用的である。しかし、大人数を対象とするサラダにドレッシングをかける場合には、あまり実用的でない。いずれの場合においても、制限された流量は、より多くの操作と時間を要する。他の欠点として、流量制限を伴う一つのアウトレットの場合、製品が抽出されるときに容器へ吸い込まれる空気もまた、オイルが注がれるのと同じ流路を通って循環しなければならないことを意味する、という事実が挙げられる。これにより、オイルが猛烈に流出することによって抽出作業を妨げる連続的中断を伴い、注入が断続的になる。
【０００３】
技術水準では、注入の流量を改善するために異なるバルブあるいは回転メカニズムが示されている。しかしながら、これらの装置は、製造のために必要とされる部品の数の増加、そしてそれに続くコスト高という欠点を有している。一方、特に、粘性のある液体が注がれるとき、液体の残渣が継ぎ目にたまって、保存された液体の品質を損なう可能性がある。
【考案の概要】
【考案が解決しようとする課題】
【０００４】
本考案によって解決される課題は、液体を一定の流れにする、最小数の部品を備えたマルチフロー用量キャップを見出すことである。
【課題を解決するための手段】
【０００５】
考案者らによって見出された解決策は、キャップを容器に合せるための手段を有する下部と、注入路と、注入手段を含む上部と、を備えたキャップである。当該注入手段は、異なる半径を有する、二つのＵ型溝状路である。当該溝状路は本体の直径の両端の点に位置する。当該キャップの当該下部と当該上部とは、パーティションによって分割されている。当該パーティションは、異なる領域における二つの孔を端部とするスリットを含んでおり、上記溝状路は前記孔と位置合わせされている。換言すれば、より大きい半径を有する注入路は、より大きい領域における当該孔と位置合わせされている。
【０００６】
当該キャップは、二つの異なるオイル流量を生じさせる。これは、その時々に、例えば、ドレッシングをかけるためのサラダが、個々のサラダであるか、二人以上の人が食べることを対象とした、より大皿のサラダであるかに応じて、使用されるべき二つの孔のうちのいずれかを、ユーザが選択することを可能とする。このキャップの構造は、オイル用のただ一つの流路が常に使用されるので、もう一方の流路は空気吸入口としての機能を果たすということを考慮すると、供給されるオイルの流れが中断することなく連続的であり、オイルの抽出を容易にする、という特徴もまた備えている。
【０００７】
本考案のマルチフロー用量キャップは、現存する容器の口に完全に調整できる、という有利な点を有している。好ましい実施態様として、該調整は、ネジあるいは圧力によるものを含むものである。
【０００８】
本考案によれば、現在提案されているキャップのデザインは、種々の形態の実施態様を可能にするものである。第一の実施態様として、当該キャップの内部空間は、中央パーティションにおけるスリットと、孔とを有する内部中央パーティション手段によって分割されている。当該注入路は、異なる半径を有する、二つのＵ型パイプあるいは流路を端部とし、当該注入流路は、当該中央パーティションの当該孔に位置合わせされている。これは、ボトルを一方あるいはもう一方へ傾けることによって、所望のアウトレット流路を選択することができ、それ故、選択された流量のオイル量とすることができる、ということを意味する。当該スリットは、空気が入ることを可能とし、連続的な流れを提供する。
【０００９】
本考案のキャップの他の実施態様として、内部分割は、大きく異なる夫々の流量を有する、アウトレット終端の二つの流路あるいはパイプを決定する、当該キャップの中央を長手方向に延びる一体化されたパーティションを含んでいても良い。一方あるいは他の方のアウトレットは、上述のように、すなわち、ボトルを一方あるいはもう一方へ傾けることによって選択される。好適な実施態様として、上記中央パーティションは傾斜している。傾斜した中央パーティションを形成することに加えて、パーティションの外形は、直線状あるいは曲線状、弓形状のいずれかであっても良い。
【００１０】
他の特有の態様において、当該キャップは、半径方向外側に突出したスカートリングを含み、容器の口の端に連結するように構成されている。当該スカートは、任意の液体が滴ってテーブルにシミをつけることを防ぐ。
【００１１】
当該キャップは、注がれる液体に対応する任意の材料で製造することができる。好ましい態様としては、当該キャップは、ポリプロピレン製であり、射出成形されている。
【００１２】
当該キャップは、オイル孔ダあるいはオイルを入れるためのボトルの製品に適している。
【図面の簡単な説明】
【００１３】
【図１】図１は、斜視図、上面図、描写（ｂ）のＡ−Ａ線に沿った断面図に対応する、夫々、描写（ａ）、（ｂ）、（ｃ）を示す。
【図２】図２は、直線形状に傾斜したパーティションによって内部を分割されたキャップに関する、上面図及び描写（ａ）のＡ−Ａ線に沿った断面図に対応する、夫々、二つの描写（ａ）及び（ｂ）を示す。
【図３】図３は、曲線形状に傾斜したパーティションによって内部を分割されたキャップに関する、図２と同等の図に対応する、二つの描写（ａ）及び（ｂ）から構成される。
【考案を実施するための形態】
【００１４】
図１は、概して参照番号１で示される、オイル容器等のためのキャップを表している。当該キャップは、円筒形状の本体で構成されており、該キャップの外表面は、半径方向外側に突出し、容器の口の端に連結するように構成されたスカートリング２によって中間高さで遮られている。前述したように、当該本体は、ポリプロピレン系のプラスチック材料からなり、射出成形されている。そして、当該本体は、当該キャップの本体と一体化された中央パーティション３を含んでいる。当該パーティションには半径方向に延びるスリット４が存在し、該スリット４の各端部には、明らかに異なる大きさの孔４ａ、４ｂが存在している。当該孔４ａ、４ｂは、夫々の場合に選択される孔４ａ、４ｂに応じて、流量の通過も同様に異ならせることができる。当該本体は、当該キャップの上部、すなわち、使用中に、容器の口の外側に出る当該キャップの部分であり、長手方向に突出し、半径の異なる二つのＵ型構造５ａ、５ｂを有する当該キャップの部分を備えている。当該Ｕ型構造５ａ、５ｂは、孔４ａ、４ｂに夫々対向する位置に配置されている。さらに、当該Ｕ型構造５ａ、５ｂは、容器（図示せず）の中から抽出されるオイルのための注ぎ口を構成するために、その端に多少丸みを帯びた形状を備えている。
【００１５】
このように、Ｕ型溝状路５ａ、５ｂによりもたらされる注ぎ口の一方の側へ容器を傾けることで、所望の通り、いかなる種類の中断なしに連続的に、製品の流量を多くしたり少なくしたりすることを達成することができる。
【００１６】
図２の描写（ａ）及び（ｂ）は、夫々、本考案のマルチフロー用量キャップの他の実施態様の上面図及びＡ−Ａ断面図を示している。当該マルチフロー用量キャップもまた、プラスチック材料を射出成形した、一般に円筒形状に形成された本体１’から構成されている。本体１’は、容器（図示せず）の口にキャップの挿入端部を連結させるための円錐台形状を有する部分１ａを備えている。本体１’はまた、中間高さにおいて、半径方向外側に突出したスカートリング２を備えている。そして、本体１’の内部空間は、大きく異なる用量及び流量を伴なう、オイル用の二つの流路あるいはパイプ６ａ、６ｂを形成するために、当該キャップの壁に向かって上昇するように傾斜したパーティション６によって分割されている。内部において、入口では二つのパイプはほぼ同等の大きさであるが、外側に向かう方向あるいはアウトレット方向では、一方のパイプの容量は、パーティション６の傾斜によって、すなわち、パーティション６が本体１’の壁により近づくことによって徐々に減少していく。これは、単に容器を一方あるいは他方へ傾けることによってユーザが選択することができ、いかなる種類の中断もなく連続的に供給できる、二つの供給容量を提供する。
【００１７】
図２の描写において、中央傾斜パーティション６は直線状に展開されている。しかしながら、図３（ａ）及び（ｂ）に夫々示されるように、この実施態様の形状において２フロー用量キャップの円筒形状の本体１’の内部空間は、パーティション６’によって分割されていても良い。パーティション６’もまた傾斜しているが、曲線状の形状を採用している。また、パーティション６’は、当該キャップの内側においておよそ中間位置から始まり、アウトレット端部の方向へ向かって、円筒形状の本体１’の壁に接近する。そして、パーティション６’は、湾曲した壁で仕切られた、大きさ及びアウトレット流量が大きく異なる二つのアウトレット６’ａ及び６’ｂを形成する。とはいうものの、この実施態様の形状の機能性及び操作は、図２に示されるバージョンによって提供されるものと同等である。
【図１】
0003211236.tif 000003
【図２】
0003211236.tif 000004
【図３】
0003211236.tif 000005